(57)【要約】【課題】万一盗難されたとしても、紐付けされていないカラオケ演奏装置での利用継続を不可能とすると共に、紐付けされていないカラオケ演奏装置であっても、一時的であれば適用できるようにするカラオケリモコン装置の提供。【解決手段】中央制御手段が計測部を付帯し、計測部の計測回数が所定の設定値に達した後は、中央制御手段が、少なくとも予約楽曲コードの送信機能の停止を含め、所定の制御処理を禁止するものであって、演奏装置ＩＤ登録・認識部が、現在対応しているカラオケ演奏装置のＩＤが登録されたものと認識した時点で、計測部の計測回数を初期化する。【選択図】図３
2005078058.tif 000002
【特許請求の範囲】
【請求項１】
所定のカラオケ演奏装置への楽曲の予約登録機能を有したカラオケリモコン装置において、少なくとも、通信制御手段と、操作制御手段と、中央制御手段とを備え、前記通信制御手段は、前記カラオケ演奏装置との通信を制御し、前記操作制御手段は、利用者インターフェイスからの予約楽曲コードなどの入力情報を前記中央制御手段に送り、前記中央制御手段は、前記入力情報に基づいて一連の制御処理を行うと共に、前記カラオケ演奏装置のＩＤを所定の記憶部に登録し認識する演奏装置ＩＤ登録・認識部と、前記カラオケ演奏装置への前記予約楽曲コード１回の送信につき１を加算する計測部を付帯し、前記計測部の計測回数が所定の設定値に達した後は、前記中央制御手段は、少なくとも前記予約楽曲コードの送信機能の停止を含め、所定の制御処理を禁止するものであって、前記演奏装置ＩＤ登録・認識部が前記カラオケ演奏装置のＩＤが登録されたものと認識した時点で、前記計測部の計測回数を初期化することを特徴とするカラオケリモコン装置。
【請求項２】
所定のカラオケ演奏装置への楽曲の予約登録機能を有したカラオケリモコン装置において、少なくとも、通信制御手段と、操作制御手段と、中央制御手段とを備え、前記通信制御手段は、前記カラオケ演奏装置との通信を制御し、前記操作制御手段は、利用者インターフェイスからの予約楽曲コードなどの入力情報を前記中央制御手段に送り、前記中央制御手段は、前記入力情報に基づいて一連の制御処理を行うと共に、前記カラオケ演奏装置のＩＤを所定の記憶部に登録し認識する演奏装置ＩＤ登録・認識部と、カラオケリモコン装置本体の使用時間を計測する計測部を付帯し、前記計測部の計測時間が所定の設定値に達した後は、前記中央制御手段は、少なくとも前記予約楽曲コードの送信機能の停止を含め、所定の制御処理を禁止するものであって、前記演奏装置ＩＤ登録・認識部が前記カラオケ演奏装置のＩＤが登録されたものと認識した時点で、前記計測部の計測時間を初期化することを特徴とするカラオケリモコン装置。
【発明の詳細な説明】
【技術分野】
【０００１】  本発明は、カラオケ演奏装置への所望の楽曲のリクエスト装置として使用されるカラオケリモコン装置に関する。
【背景技術】
【０００２】  従来、カラオケリモコン装置は、利用者により入力された楽曲を演奏予約する旨の入力情報を受け付けると、予約楽曲コードをカラオケ演奏装置に送信して予約登録するものであるが、最近の機種では、タッチパネル式のディスプレイを利用者インターフェイスとして付帯し、所定の検索条件に基づき、適合する演奏楽曲を検索すると共に、検索結果として提示された目次情報を該ディスプレイに表示する、いわゆる「電子目次本付きカラオケリモコン」が普及しつつある。【０００３】  図１は、このようなカラオケリモコン装置の概略的な斜視図である。
カラオケリモコン装置Ｒ１本体の形状は、両手を軽く開いた状態で持てる程度の幅長を有した横長サイズのパネル状のもので、その本体前面には液晶ディスプレイ（以下、ＬＣＤと称す）Ｒ２が配設されており、さらに、このディスプレイＲ２の表面部にはタッチパネル式の操作パネルＲ３が積層されている。
また、その上端面には、発光ダイオード（以下、ＬＥＤと称す）による赤外線送信部Ｒ４が設けられ、その下端面には、無線ないし有線の通信回線にてカラオケリモコン装置に接続され、カラオケリモコン装置本体内部にある二次電池に電力供給をするための充電器とデータの同期処理器を兼ねた通称「クレードル」に装着して接続するための接続端子Ｒ５がある。なお、側面には外部のコンピュータとデータ通信を行うためのＲＳ２３２Ｃ規格のインターフェイス用端子Ｒ６などが配設されている場合もある。【０００４】  内蔵するハードディスクや不揮発性メモリなどの外部記憶部には、カラオケ演奏装置における演奏楽曲データベースに対応する楽曲についての属性情報を格納して、楽曲索引データベースとして管理しており、利用者が入力した検索キーワードの属性情報に関するクエリーとしてデータベースを照会し、該当する楽曲についての目次情報や楽曲番号などをＬＣＤに提示出力する。そして、利用者が演奏を希望する演奏楽曲が確定されたならば、楽曲番号を含んだ楽曲予約データが所定のカラオケ演奏装置に送信され、カラオケ演奏装置は、この楽曲予約データを受信すると、そのデータに含まれている楽曲番号を演奏予約の待ち行列として管理し、その待ち行列から順次楽曲番号をピックアップし、このピックアップした楽曲番号に対応する楽曲を演奏するものである。【０００５】  このような最近のカラオケリモコン装置は、演奏楽曲の予約方法の高機能化に加え、ゲームやクイズといった多種のアトラクション機能なども付帯されて多機能になった分、付加価値が著しく高まった。そして、リモコン装置とは、元来、持ち運びが容易にできるように小型化されているが故に持ち去られるといった危険性が高い。しかしながら、従来、このようなカラオケリモコン装置の盗難を防止するための技術は想到されていなかった。
ただし、近年のダウンサイジングの技術的進歩により、例えば、小型化されたカラオケ演奏装置の盗難を防止するため、演奏装置の電源切断や演奏装置と所定の監視装置との接続回線の切断を検出して、演奏装置の盗難を報知するシステムは開発された。
【特許文献１】特開平１０−１８８１５０号公報
【発明の開示】
【発明が解決しようとする課題】
【０００６】  しかしながら、上記のカラオケ演奏装置の盗難防止技術をカラオケリモコン装置に応用したとしても、盗難の行為自体は早急に察知できるものの、一旦盗難されてしまったならば、他のカラオケ演奏装置で利用し続けることができるという問題がある。
これに対し、カラオケ演奏装置のシリアルナンバーやＩＰアドレスなどといった、カラオケ演奏装置のＩＤをカラオケリモコン装置に登録して紐付けし、紐付けされていないカラオケ演奏装置では利用させないようにすることもできるが、例えば、一時的に、紐付けされていないカラオケ演奏装置にも使いたい場合、例えば、紐付けされたカラオケ演奏装置が壊れたり、性急なメンテナンスを行いたい場合に、紐付けされていないカラオケ演奏装置を持ってきて、一時的に入れ替えたりすることはできないという不都合もある。【０００７】  本発明は、このような問題や不都合を解決するためになされたもので、万一盗難されたとしても、紐付けされていないカラオケ演奏装置での利用継続を不可能とすると共に、紐付けされていないカラオケ演奏装置であっても、一時的であれば適用できるようにするカラオケリモコン装置の提供を目的とする。
【課題を解決するための手段】
【０００８】  本発明は上記目的を達成するために提案されたものである。すなわち、本発明の請求項１記載のカラオケリモコン装置は、演奏装置ＩＤ登録・認識部が、現在対応しているカラオケ演奏装置のＩＤが登録されたものと認識されていない状態では、カラオケ演奏装置への予約楽曲コード１回の送信につき１を加算する計測部（カウンタ）を付帯しており、この計測部の計測回数が所定の設定値に達した後は、中央制御手段は、少なくとも予約楽曲コードの送信機能の停止を含め、所定の制御処理を禁止するものであって、現在対応しているカラオケ演奏装置のＩＤが登録されたものと認識された時点で、計測部の計測回数を初期化することを特徴とする。【０００９】  さらに、本発明の請求項２記載のカラオケリモコン装置は、演奏装置ＩＤ登録・認識部が、現在対応しているカラオケ演奏装置のＩＤが登録されたものと認識されていない状態では、カラオケリモコン装置本体の使用時間を計測し続ける計測部（タイマー）を付帯しており、この計測部の計測時間が所定の設定値に達した後は、中央制御手段は、少なくとも予約楽曲コードの送信機能の停止を含め、所定の制御処理を禁止するものであって、現在対応しているカラオケ演奏装置のＩＤが登録されたものと認識された時点で、計測部の計測時間を初期化することを特徴とする。
【発明の効果】
【００１０】  本発明のカラオケリモコン装置は、万一盗難されたとしても、登録ＩＤの異なる紐付けされていないカラオケ演奏装置に対しては、計測部（カウンタないしタイマー）による計測値が所定の設定値に達した後は利用続行が不可能になり、結果的に、カラオケリモコン装置の盗難防止に繋がる。さらに、計測部の計測値が所定の設定値に達するまでは通常利用が可能なので、一時的に、紐付けされていないカラオケ演奏装置にも使いたい場合や、紐付けされたカラオケ演奏装置が壊れたり、性急なメンテナンスを行いたい場合に、紐付けされていないカラオケ演奏装置を持ってきて、一時的に入れ替えたりすることができ、カラオケ利用者には何ら不都合が生じないといった効果を奏するものである。
【発明を実施するための最良の形態】
【００１１】  以下、本発明のカラオケリモコン装置について、最適な実施例を挙げて本発明を詳述する。
【実施例１】
【００１２】  本発明のカラオケリモコン装置の内部構成を、図２の機能ブロック図に示す。
先ず、外部記憶として機能するフラッシュメモリ（ＦＭ）には、利用可能な演奏楽曲についての曲名・アーティスト名・歌詞の歌い出し部分などの属性情報が、楽曲番号に紐付けされて格納され、楽曲索引データベース（図示せず）が構築され、このカラオケリモコン装置（１）の主制御部である中央制御手段（３）は、無線回線ないし有線回線を介しての通信を制御する通信制御手段（２）に接続されており、新規の演奏楽曲についての属性情報などをダウンロードしてフラッシュメモリ（ＦＭ）に格納することで楽曲索引データベースが適時に更新される。【００１３】  また、中央制御手段（３）は、操作制御手段（６）が制御している操作パネル（ＵＩ）からの入力情報を受け取ると、内部のＲＯＭに用意されている画像データや、入力情報に応じた処理結果を反映させた画像データをビデオＲＡＭにビットマップ展開すると共に、ＬＣＤドライバ（ＣＤＤ）を制御して、このビットマップ画像をＬＣＤ（ＬＣ）に表示出力させる。それによって、カラオケリモコン装置は利用者にＧＵＩ環境を提供し、中央制御手段（３）が利用者とＧＵＩによる対話を通じて楽曲索引データベースを検索し、その検索結果を電子目次本として出力表示させている。【００１４】  中央制御手段（３）は、電子目次本から最終的に利用者が選択した１つの演奏楽曲を提示した状態で、その楽曲を演奏予約する旨の入力があれば、該当の楽曲番号を含んだ予約楽曲コードを生成し確定して、そのコードをＬＥＤドライバ（ＥＤＤ）に転送する。そして、このＬＥＤドライバ（ＥＤＤ）は、このコードの変調信号をＬＥＤ（ＬＥ）に与え、カラオケ演奏装置に演奏予約のための赤外線信号を送信させる。【００１５】  さらに、中央制御手段（３）は、電子目次本機能と予約楽曲コードの送信に係わる処理を実行する一方で、演奏予約された楽曲についての履歴も管理している。フラッシュメモリ（ＦＭ）には、演奏予約された演奏楽曲についての履歴を最新の予約楽曲から所定曲数分記憶しており、予約楽曲コードの送信毎に、その楽曲番号を最近の演奏予約履歴として記憶すると共に、履歴中で最も古い楽曲番号を削除するものである。【００１６】  ここで、図３および図４を用い、本発明のカラオケリモコン装置の特徴について、さらに詳述する。
先ず、図３に示すカラオケリモコン装置（１）では、中央制御手段（３）には、紐付けされるカラオケ演奏装置（Ｐ）のシリアルナンバーやＩＰアドレスなどといった所定のＩＤを登録し認識する演奏装置ＩＤ登録・認識部（４）と共に、上述した如く、カラオケ演奏装置（Ｐ）への楽曲番号を含んだ予約楽曲コード１回の送信につき１を加算する計測部（５）であるカウンタを付帯している。【００１７】  次に、図４に示すカラオケリモコン装置（１）では、中央制御手段（３）には、上記実施例と同じ演奏装置ＩＤ登録・認識部（４）と共に、カラオケリモコン装置本体の使用時間を計測する計測部（５）であるタイマーを付帯している。なお、タイマーの計測値は、リモコン電源のＯＮ／ＯＦＦや充電状態には関係なく、無条件で初期値にリセットすることはできない。【００１８】  上記図３および図４における何れの計測部（５）についても、演奏装置ＩＤ登録・認識部（４）が、カラオケ演奏装置（Ｐ）のＩＤが登録されたものと認識した時点で、計測回数ないし計測時間である計測値は初期化されるが、その計測回数や計測時間が所定の設定値に達した後は、中央制御手段（３）は、予約楽曲コードの送信機能の停止を含め、所定の制御処理を禁止する。なお、この制御処理の禁止は、ソフト的なデータのアクセス拒否やプログラムの変更、あるいはハード的な内部回線の切断や切替などを行ってなされるものである。【００１９】  次に、図５および図６に示すフローチャートを用いて、本発明のカラオケ演奏装置の好適なシステムフローについて説明する。
図５に示すように、カラオケリモコン装置が起動して使用が開始されると、先ず、利用者は所望の楽曲を予約入力する（ステップＳ１）。次に、入力楽曲コードが確定すると、中央制御手段の計測部は、その確定時における計測回数を確認し、所定の設定値（例えば１００回）に達している場合は、ＬＣＤを消去してカラオケリモコン装置を自動的に終了させる。一方、設定値に達していない場合は、確定楽曲コードをカラオケ演奏装置に送信する（ステップＳ２，ステップＳ３，ステップＳ４）。【００２０】  確定楽曲コードが送信された際、カラオケ演奏装置のＩＤを認識するための通信回線が正常に接続しない場合でも、カウンタの計測回数に１が加算される（ステップＳ５，ステップＳ７）。さらに、通信回線が正常に接続したとしても、カラオケ演奏装置のＩＤが登録されたものでない場合は、カウンタの計測回数に１が加算される（ステップＳ６，ステップＳ７）。そして、通信回線が正常に接続し、かつ、カラオケ演奏装置のＩＤが登録されたものであると認識されると、初めてカウンタの計測回数が初期値（例えば０回）にリセット（ステップＳ８）されて使用が繰り返される（ステップＳ９）。
なお、カラオケ演奏装置のＩＤを認識する時点は、本実施例の如く演奏楽曲コードの確定毎の他、例えば、クレードルを用いないで無線ＬＡＮ機能をリモコン装置自体で有するものならば、演奏楽曲コードの送信毎や所定の時間間隔毎、あるいはクレードルを用いる場合はクレードルへの装着毎に行うなど、所定のタイミングで行うものである。【００２１】  次に、図６に示すように、使用が開始されると、先ず、利用者は所望の楽曲を予約入力する（ステップＳ１）。次に、入力楽曲コードが確定すると、中央制御手段の計測部は、その確定時における計測した使用時間を確認し、所定の設定値（例えば１００時間）に達している場合は、ＬＣＤを消去してカラオケリモコン装置を自動的終了させる。一方、設定値に達していない場合は、確定楽曲コードをカラオケ演奏装置に送信する（ステップＳ２，ステップＳ３，ステップＳ４）。なお、本発明における「使用時間」とは、厳密な意味での利用者の使用時間に限らず、例えば、リモコンの電源がＯＮ状態にある時間、リモコンの二次電池が充電されている状態にある時間、あるいは使用前の初期設定時からの経過時間などであっても良い。【００２２】  確定楽曲コードが送信された際、カラオケ演奏装置のＩＤが登録されたものと認識するための通信回線が正常に接続しない場合は、タイマーの時間測定は継続される（ステップＳ５，ステップＳ７）。さらに、通信回線が正常に接続したとしても、カラオケ演奏装置のＩＤが登録されたものでない場合は、タイマーの時間測定は継続される（ステップＳ６，ステップＳ７）。そして、通信回線が正常に接続し、かつ、カラオケ演奏装置のＩＤが登録されたものであると認識されると、初めてタイマーの計測時間が初期値（例えば０時間）にリセット（ステップＳ８）されて使用が繰り返される（ステップＳ９）。【００２３】  以上、詳述した如く、本発明のカラオケリモコン装置では、万一盗難されたとしても、無線ＬＡＮやクレードルを介した有線・無線回線を利用して、例えば、確定楽曲データの登録時やクレードルの装着時、あるいは所定の時間間隔といった所望のタイミングで、現在対応しているカラオケ演奏装置のＩＤを確認することにより、登録ＩＤの異なる紐付けされていないカラオケ演奏装置に対しては、計測部（カウンタないしタイマー）による計測値が所定の設定値に達した後は、利用続行が不可能になり、結果的にカラオケリモコン装置の盗難防止に繋がる。さらに、計測部の計測値が所定の設定値に達するまでは通常利用が可能なので、一時的に、紐付けされていないカラオケ演奏装置にも使いたい場合や、紐付けされたカラオケ演奏装置が壊れたり、性急なメンテナンスを行いたい場合に、紐付けされていないカラオケ演奏装置を持ってきて、一時的に入れ替えたりすることができるものである。【００２４】  なお、本発明は、その基本概念を逸脱しない限り、種々の改変をなすことができると共に、その権利は当該改変されたものにも及ぶものであることは言うまでもない。
【図面の簡単な説明】
【００２５】
【図１】カラオケリモコン装置の概略的斜視図。
【図２】本発明のカラオケリモコン装置の機能ブロック図。
【図３】本発明の一実施例におけるカラオケリモコン装置の構成ブロック図。
【図４】本発明の別の実施例におけるカラオケリモコン装置の構成ブロック図。
【図５】本発明の一実施例におけるシステムフロー図。
【図６】本発明の別の実施例におけるシステムフロー図。
【符号の説明】
【００２６】１  カラオケリモコン装置
２  通信制御手段
３  中央制御手段
４  演奏装置ＩＤ登録・認識部
５  計測部
６  操作制御手段
ＣＲ  クレードル
Ｐ  カラオケ演奏装置
【図１】
2005078058.tif 000003
【図２】
2005078058.tif 000004
【図３】
2005078058.tif 000005
【図４】
2005078058.tif 000006
【図５】
2005078058.tif 000007
【図６】
2005078058.tif 000008